(57)【特許請求の範囲】
【請求項１】
記録対象に応じて記録信号を発信する記録信号発生装置と、該記録信号発生装置から発信された記録信号に基いて、光記録媒体に光を照射することにより該記録媒体に記録を施す発光装置と、前記発光装置が光記録媒体に光を照射する際に少なくとも２つのパラメータを用いて前記発光装置を制御する制御装置および記録された光記録媒体を再生する記録再生装置とを備えた光記録装置において、
前記制御装置は、
前記発光装置を制御する少なくとも２つのパラメータを入力し、
前記入力した少なくとも２つのパラメータのうち、１つのパラメータを除いた他のパラメータを各々の所定値に固定するとともに、前記１つのパラメータの値を第１パラメータとして順次変化させて複数の記録を施し、
前記記録再生装置によって記録媒体に施された前記複数の記録を再生して、前記制御装置による制御の開始前に設定された評価尺度に基いて再生信号を評価し、前記複数の記録のうち、最も適正な記録を施したときの前記第１パラメータの値を第１最適値として保存し、
前記第１パラメータを除いた他のパラメータのうちの１つのパラメータを第２パラメータとして、前記第２パラメータを除き前記第１パラメータを含む他のパラメータを各々の前記所定値に固定するとともに、前記第２パラメータの値を順次変化させて複数の記録を施し、
前記記録再生装置によって記録媒体に施された前記複数の記録を再生して、前記設定された評価尺度に基いて再生信号を評価し、前記複数の記録のうち、最も適正な記録を施したときの前記第２パラメータの値を第２最適値として保存し、
順次、前記入力した少なくとも２つのパラメータの最適値を決定する光記録装置。
【請求項２】
記録対象に応じて記録信号を発信する記録信号発生装置と、該記録信号発生装置から発信された記録信号に基いて、光記録媒体に光を照射することにより該記録媒体に記録を施す発光装置と、前記発光装置が光記録媒体に光を照射する際に少なくとも２つのパラメータを用いて前記発光装置を制御する制御装置および記録された光記録媒体を再生する記録再生装置とを備えた光記録装置において、
前記制御装置は、
前記発光装置を制御する少なくとも２つのパラメータを入力し、
前記入力した少なくとも２つのパラメータのうち、１つのパラメータを除いた他のパラメータを各々の所定値に固定するとともに、前記１つのパラメータの値を第１パラメータとして順次変化させて複数の記録を施し、
前記記録再生装置によって記録媒体に施された前記複数の記録を再生して、前記制御装置による制御の開始前に設定された評価尺度に基いて再生信号を評価し、前記複数の記録のうち、最も適正な記録を施したときの前記第１パラメータの値を第１最適値として固定し、
前記第１パラメータを前記第１最適値に固定したうえで、前記第１パラメータを除いた他のパラメータのうちの１つのパラメータを第２パラメータとして、前記第２パラメータを除いた他のパラメータを各々の前記所定値に固定するとともに、前記第２パラメータの値を順次変化させて複数の記録を施し、
前記記録再生装置によって記録媒体に施された前記複数の記録を再生して、前記設定された評価尺度に基いて再生信号を評価し、前記複数の記録のうち、最も適正な記録を施したときの前記第２パラメータの値を第２最適値として固定し、
順次、前記入力した少なくとも２つのパラメータの最適値を決定する光記録装置。
【請求項３】
前記再生信号の評価尺度は、再生信号のエラーレート、再生信号のジッタ、あるいは波形特性である請求項１または２の光記録装置。
【請求項４】
記録が施された光記録媒体に光を照射する発光装置と、該発光装置から発光され、光記録媒体によって反射された光を受光して再生信号を発信する受光装置および該受光装置が光記録媒体によって反射された光を受光して再生信号を発信する際に、少なくとも２つのパラメータを用いて前記受光装置を制御する制御装置とを備えた光再生装置において、
前記受光装置が光記録媒体によって反射された光を受光して再生信号を発信する際に、前記制御装置は、
前記受光装置を制御する少なくとも２つのパラメータを入力し、
前記入力した少なくとも２つのパラメータのうち、１つのパラメータを除いた他のパラメータを各々の所定値に固定するとともに、前記１つのパラメータの値を第１パラメータとして順次変化させて複数の再生を行って、前記制御装置による制御の開始前に設定された評価尺度に基いて再生信号を評価し、前記複数の再生のうち、最も適正な再生を行ったときの前記第１パラメータの値を第１最適値として保存し、
前記第１パラメータを除いた他のパラメータのうちの１つのパラメータを第２パラメータとし、前記第２パラメータを除き前記第１パラメータを含んだ他のパラメータを各々の前記所定値に固定するとともに、前記第２パラメータの値を順次変化させて複数の再生を行って、前記設定された評価尺度に基いて再生信号を評価し、前記複数の再生のうち、最も適正な再生を行ったときの前記第２パラメータの値を第２最適値として保存し、
順次、前記入力した少なくとも２つのパラメータの最適値を決定する光再生装置。
【請求項５】
記録が施された光記録媒体に光を照射する発光装置と、該発光装置から発光され、光記録媒体によって反射された光を受光して再生信号を発信する受光装置および該受光装置が光記録媒体によって反射された光を受光して再生信号を発信する際に、少なくとも２つのパラメータを用いて前記受光装置を制御する制御装置とを備えた光再生装置において、
前記受光装置が光記録媒体によって反射された光を受光して再生信号を発信する際に、前記制御装置は、
前記受光装置を制御する少なくとも２つのパラメータを入力し、
前記入力した少なくとも２つのパラメータのうち、１つのパラメータを除いた他のパラメータを各々の所定値に固定するとともに、前記１つのパラメータの値を第１パラメータとして順次変化させて複数の再生を行って、前記制御装置による制御の開始前に設定された評価尺度に基いて再生信号を評価し、前記複数の再生のうち、最も適正な再生を行ったときの前記第１パラメータの値を第１最適値として固定し、
前記第１パラメータを前記第１最適値に固定したうえで、前記第１パラメータを除いた他のパラメータのうちの１つのパラメータを第２パラメータとして、前記第２パラメータを除いた他のパラメータを各々の前記所定値に固定するとともに、前記第２パラメータの値を順次変化させて複数の再生を行って、前記設定された評価尺度に基いて再生信号を評価し、前記複数の再生のうち、最も適正な再生を行ったときの前記第２パラメータの値を第２最適値として固定し、
順次、前記入力した少なくとも２つのパラメータの最適値を決定する光再生装置。
【請求項６】
前記再生信号の評価尺度は、再生信号のエラーレート、再生信号のジッタ、あるいは波形特性である請求項４または５の光再生装置。
【請求項７】
記録対象に応じて記録信号を発信し、該記録信号に基いて光記録媒体に光を照射することにより該記録媒体に記録を施し、光記録媒体に光を照射する際に少なくとも２つのパラメータを用いて光の照射状態を制御する光記録制御方法において、
前記光の照射状態を制御する少なくとも２つのパラメータを入力し、
前記入力した少なくとも２つのパラメータのうち、１つのパラメータを除いた他のパラメータを各々の所定値に固定するとともに、前記１つのパラメータの値を第１パラメータとして順次変化させて複数の記録を施し、
記録媒体に施された前記複数の記録を再生して、前記記録対象に応じて記録信号を発信する前に設定された評価尺度に基いて再生信号を評価し、前記複数の記録のうち、最も適正な記録を施したときの前記第１パラメータの値を第１最適値として保存し、
前記第１パラメータを除いた他のパラメータのうちの１つのパラメータを第２パラメータとして、前記第２パラメータを除き前記第１パラメータを含んだ他のパラメータを各々の前記所定値に固定するとともに、前記第２パラメータの値を順次変化させて複数の記録を施し、
記録媒体に施された前記複数の記録を再生して、前記設定された評価尺度に基いて再生信号を評価し、前記複数の記録のうち、最も適正な記録を施したときの前記第２パラメータの値を第２最適値として保存し、
順次、前記入力した少なくとも２つのパラメータの最適値を決定する光記録制御方法。
【請求項８】
記録対象に応じて記録信号を発信し、該記録信号に基いて光記録媒体に光を照射することにより該記録媒体に記録を施し、光記録媒体に光を照射する際に少なくとも２つのパラメータを用いて光の照射状態を制御する光記録制御方法において、
前記光の照射状態を制御する少なくとも２つのパラメータを入力し、
前記入力した少なくとも２つのパラメータのうち、１つのパラメータを除いた他のパラメータを各々の所定値に固定するとともに、前記１つのパラメータの値を第１パラメータとして順次変化させて複数の記録を施し、
記録媒体に施された前記複数の記録を再生して、前記記録対象に応じて記録信号を発信する前に設定された評価尺度に基いて再生信号を評価し、前記複数の記録のうち、最も適正な記録を施したときの前記第１パラメータの値を第１最適値として固定し、
前記第１パラメータを前記第１最適値に固定したうえで、前記第１パラメータを除いた他のパラメータのうちの１つのパラメータを第２パラメータとして、前記第２パラメータを除いた他のパラメータを各々の前記所定値に固定するとともに、前記第２パラメータの値を順次変化させて複数の記録を施し、
記録媒体に施された前記複数の記録を再生して、前記設定された評価尺度に基いて再生信号を評価し、前記複数の記録のうち、最も適正な記録を施したときの前記第２パラメータの値を第２最適値として固定し、
順次、前記入力した少なくとも２つのパラメータの最適値を決定する光記録制御方法。
【請求項９】
前記再生信号の評価尺度は、再生信号のエラーレート、再生信号のジッタ、あるいは波形特性である請求項７または８の光記録制御方法。
【請求項１０】
記録が施された光記録媒体に光を照射し、光記録媒体によって反射された光を受光して再生信号を発信し、かつ光記録媒体によって反射された光を受光して再生信号を発信する際に、少なくとも２つのパラメータを用いて受光状態を制御する光再生制御方法において、
前記受光状態を制御する少なくとも２つのパラメータを入力し、
光記録媒体によって反射された光を受光して再生信号を発信する際に、前記入力した少なくとも２つのパラメータのうち、１つのパラメータを除いた他のパラメータを各々の所定値に固定するとともに、前記１つのパラメータの値を第１パラメータとして順次変化させて複数の再生を行って、前記記録が施された光記録媒体に光を照射する前に設定された評価尺度に基いて再生信号を評価し、前記複数の再生のうち、最も適正な再生を行ったときの前記第１パラメータの値を第１最適値として保存し、
前記第１パラメータを除いた他のパラメータのうちの１つのパラメータを第２パラメータとし、前記第２パラメータを除き前記第１パラメータを含んで他のパラメータを各々の前記所定値に固定するとともに、前記第２パラメータの値を順次変化させて複数の再生を行って、前記設定された評価尺度に基いて再生信号を評価し、前記複数の再生のうち、最も適正な再生を行ったときの前記第２パラメータの値を第２最適値として保存し、
順次、前記入力した少なくとも２つのパラメータの最適値を決定する光再生制御方法。
【請求項１１】
記録が施された光記録媒体に光を照射し、光記録媒体によって反射された光を受光して再生信号を発信し、かつ光記録媒体によって反射された光を受光して再生信号を発信する際に、少なくとも２つのパラメータを用いて受光状態を制御する光再生制御方法において、
前記受光状態を制御する少なくとも２つのパラメータを入力し、
光記録媒体によって反射された光を受光して再生信号を発信する際に、前記入力した少なくとも２つのパラメータのうち、１つのパラメータを除いた他のパラメータを各々の所定値に固定するとともに、前記１つのパラメータの値を第１パラメータとして順次変化させて複数の再生を行って、前記記録が施された光記録媒体に光を照射する前に設定された評価尺度に基いて再生信号を評価し、前記複数の再生のうち、最も適正な再生を行ったときの前記第１パラメータの値を第１最適値として固定し、
前記第１パラメータを前記第１最適値に固定したうえで、前記第１パラメータを除いた他のパラメータのうちの１つのパラメータを第２パラメータとし、前記第２パラメータを除いた他のパラメータを各々の前記所定値に固定するとともに、前記第２パラメータの値を順次変化させて複数の再生を行って、前記設定された評価尺度に基いて再生信号を評価し、前記複数の再生のうち、最も適正な再生を行ったときの前記第２パラメータの値を第２最適値として固定し、
順次、前記入力した少なくとも２つのパラメータの最適値を決定する光再生制御方法。
【請求項１２】
前記再生信号の評価尺度は、再生信号のエラーレート、再生信号のジッタ、あるいは波形特性である請求項１０または１１の光再生制御方法。
【発明の詳細な説明】
【０００１】
【発明の属する技術分野】
光記録媒体に光を照射し、記録を施す光記録装置とそれを用いた光記録制御方法および光記録媒体に施された記録を再生する光再生装置とそれを用いた光再生制御方法に関する。
【０００２】
【従来の技術】
ＣＤ，ＭＤ，ＤＶＤ等の光記録媒体に対し、光ビームを照射して信号を記録する光記録装置において、発光装置から光ビームを照射する際、光記録媒体に対し最適な条件で記録可能なように構成された光記録装置が数々あった。
【０００３】
特開平２−５２２１号公報には、光記録媒体へ照射される光ビームのエネルギー量を変化させながら、光記録媒体に部分的に試し記録を行い、これを再生することにより、光ビームのエネルギーに関する最適記録条件を検出する光記録再生装置の記載がある。
【０００４】
この従来技術について、たしかに光記録媒体へ照射される光ビームのエネルギー量は、光記録媒体への記録状態を左右する重要な条件ではあるが、光記録媒体への記録状態に影響を及ぼす要因はなにもこればかりではない。
【０００５】
一方、特開平５−２９０４３７号公報には、テスト信号に基き光記憶媒体上にテストパターンを形成し、テストパターンをテスト信号と比較した結果により、光パルス列を構成する各々のパルスのパワーレベル、パルス幅およびパルス間隔を制御する光記録再生装置が記載されている。
【０００６】
このように、光記録媒体への記録状態あるいは再生状態を精度よく制御し、光記録媒体への最適記録条件あるいは光記録媒体からの最適再生条件をつくりだすためには、複数のパラメータを使用しなければならず、一般的に光記録媒体への記録時あるいは再生時に制御するパラメータが増えるにつれて、よりよい記録状態をつくりだすことができる。
【０００７】
ところが、制御に使用されるパラメータの数が増えることにより、光記録媒体への試し記録時あるいは再生時に、複数のパラメータの最適値をサーチするために膨大な時間を要することになり、光記録媒体への記録状態あるいは再生状態の最適検出と記録時間あるいは再生時間の短縮化とが、相反する課題であった。
【０００８】
【発明が解決しようとする課題】
本発明は、光記録媒体への記録状態あるいは再生状態を精度よく制御するために複数のパラメータを使用する場合に、短時間でパラメータの最適値検出をすることを目的とする。
【０００９】
本発明の第１の課題は、光記録装置において、光記録媒体への良好な記録状態を短時間で検出できる光記録装置を提供することである。
【００１０】
本発明の第２の課題は、光再生装置において、光記録媒体の良好な再生状態を短時間で検出できる光再生装置を提供することである。
【００１１】
本発明の第３の課題は、光記録装置において、光記録媒体への良好な記録状態を短時間で検出できる光記録制御方法を提供することである。
【００１２】
本発明の第４の課題は、光再生装置において、光記録媒体の良好な再生状態を短時間で検出できる光再生制御方法を提供することである。
【００１３】
【発明の概略】
本発明の第１の課題については、第１発明において、少なくとも２つのパラメータを用いて発光装置を制御する制御装置および記録された光記録媒体を再生する記録再生装置とを備えた光記録装置において、前記制御装置は、前記発光装置を制御する少なくとも２つのパラメータを入力し、同入力した少なくとも２つのパラメータのうち、１つのパラメータを除いた他のパラメータを各々の所定値に固定するとともに、前記１つのパラメータの値を第１パラメータとして順次変化させて複数の記録を施し、前記記録再生装置によって記録媒体に施された前記複数の記録を再生して、前記制御装置による制御の開始前に設定された評価尺度に基いて再生信号を評価し、前記複数の記録のうち、最も適正な記録を施したときの前記第１パラメータの値を第１最適値として保存し、順次、前記入力した少なくとも２つのパラメータの最適値を決定する光記録装置とした。
【００１４】
また、第１発明の変形として、前記制御装置は、前記第１パラメータを前記第１最適値に固定したうえで、前記第２パラメータの値を順次変化させて複数の記録を施し、順次、前記少なくとも２つのパラメータの最適値を決定する光記録装置とした。
【００１５】
また、更に、その詳細な発明として、前記少なくとも２つのパラメータは、前記発光装置のフォーカスサーボゲイン、トラッキングサーボゲインおよび光記録媒体に対する光照射角度のうちの少なくとも１つを含んでいる光記録装置とした。また、前記設定される再生信号の評価尺度は、再生信号のエラーレート、再生信号のジッタ、あるいは波形特性である。
【００１６】
第１発明の構成をとることによって、光記録媒体への最適な記録状態を短時間で検出できる光記録装置を提供できる。
【００１７】
本発明の第２の課題については、第２発明において、少なくとも２つのパラメータを用いて受光装置を制御する制御装置とを備えた光再生装置において、前記制御装置は、前記受光装置を制御する少なくとも２つのパラメータを入力し、前記入力した少なくとも２つのパラメータのうち、１つのパラメータを除いた他のパラメータを各々の所定値に固定するとともに、前記１つのパラメータの値を第１パラメータとして順次変化させて複数の再生を行って、前記制御装置による制御の開始前に設定された評価尺度に基いて再生信号を評価し、前記複数の再生のうち、最も適正な再生を行ったときの前記第１パラメータの値を第１最適値として保存し、順次、前記入力した少なくとも２つのパラメータの最適値を決定する光再生装置とした。
【００１８】
また、第２発明の変形として、前記第１パラメータを前記第１最適値に固定したうえで、前記第２パラメータの値を順次変化させて複数の再生を行い、順次、前記少なくとも２つのパラメータの最適値を決定する光再生装置とした。
【００１９】
また、更に、その詳細な発明として、前記少なくとも２つのパラメータは、前記発光装置のフォーカスサーボゲイン、トラッキングサーボゲイン、光記録媒体に対する光照射角度、前記再生信号の２値化のための閾値および前記再生信号のイコライズ特性のうちの少なくとも１つを含んでいる光再生装置とした。また、前記設定される再生信号の評価尺度は、再生信号のエラーレート、再生信号のジッタ、あるいは波形特性である。
【００２０】
第２発明の構成をとることによって、光記録媒体への最適な再生状態を短時間で検出できる光再生装置を提供できる。
【００２１】
本発明の第３の課題については、第３発明において、少なくとも２つのパラメータを用いて光の照射状態を制御する光記録制御方法において、前記光の照射状態を制御する少なくとも２つのパラメータを入力し、前記入力した少なくとも２つのパラメータのうち、１つのパラメータを除いた他のパラメータを各々の所定値に固定するとともに、前記１つのパラメータの値を第１パラメータとして順次変化させて複数の記録を施し、記録媒体に施された前記複数の記録を再生して、記録対象に応じて記録信号を発信する前に設定された評価尺度に基いて再生信号を評価し、前記複数の記録のうち、最も適正な記録を施したときの前記第１パラメータの値を第１最適値として保存し、順次、前記入力した少なくとも２つのパラメータの最適値を決定する光記録制御方法とした。
【００２２】
また、第３発明の変形として、前記第１パラメータを前記第１最適値に固定したうえで、前記第２パラメータの値を順次変化させて複数の記録を施し、順次、前記少なくとも２つのパラメータの最適値を決定する光記録制御方法とした。
【００２３】
また、更に、その詳細な発明として、前記少なくとも２つのパラメータは、前記光記録媒体に光を照射する際のフォーカスサーボゲイン、トラッキングサーボゲインおよび光記録媒体に対する光照射角度のうちの１つを含んでいる光記録制御方法とした。また、前記設定される再生信号の評価尺度は、再生信号のエラーレート、再生信号のジッタ、あるいは波形特性である。
【００２４】
第３発明の構成をとることによって、光記録媒体への最適な記録状態を短時間で検出できる光記録制御方法を提供できる。
【００２５】
本発明の第４の課題については、第４発明において、少なくとも２つのパラメータを用いて受光状態を制御する光再生制御方法において、前記受光状態を制御する少なくとも２つのパラメータを入力し、光記録媒体によって反射された光を受光して再生信号を発信する際に、前記入力した少なくとも２つのパラメータのうち、１つのパラメータを除いた他のパラメータを各々の所定値に固定するとともに、前記１つのパラメータの値を第１パラメータとして順次変化させて複数の再生を行って、記録が施された光記録媒体に光を照射する前に設定された評価尺度に基いて再生信号を評価し、前記複数の再生のうち、最も適正な再生を行ったときの前記第１パラメータの値を第１最適値として保存し、順次、前記入力した少なくとも２つのパラメータの最適値を決定する光再生制御方法とした。
【００２６】
また、第４発明の変形として、前記第１パラメータを前記第１最適値に固定したうえで、前記第２パラメータの値を順次変化させて複数の再生を行い、順次、前記少なくとも２つのパラメータの最適値を決定する光再生制御方法とした。
【００２７】
また、更に、その詳細な発明として、前記少なくとも２つのパラメータは、前記光記録媒体に光を照射する際のフォーカスサーボゲイン、トラッキングサーボゲイン、光記録媒体に対する光照射角度、前記再生信号の２値化のための閾値および前記再生信号のイコライズ特性のうちの１つを含んでいる光再生制御方法とした。また、前記設定される再生信号の評価尺度は、再生信号のエラーレート、再生信号のジッタ、あるいは波形特性である。
【００２８】
第４発明の構成をとることによって、光記録媒体の最適な再生状態を短時間で検出できる光再生制御方法を提供できる。
【００２９】
【発明の実施の形態】
図１は、本発明による光記録・再生装置のシステム１１を表す図である。図において、コントローラ１２はマイクロプロセッサによって構成され、システム全体の制御を行う制御装置である。発信装置１３は、コントローラ１２からの制御信号に基き、制御信号に対応した長さと信号間間隔を有し、各々のパルスのパワーレベル、パルス幅およびパルス間隔が設定された記録信号（図３（ａ）に示す）を設定し、レーザー駆動装置１４へと送信する。レーザー駆動装置１４は、発信装置１３からの記録信号に基いて、発光装置１５の駆動時間および駆動間時間を設定するとともに、コントローラ１２からの制御信号に基いて、発光装置１５のレーザーパワー値を設定して、駆動信号として発信する。
【００３０】
発光装置１５は、主に半導体レーザーおよび透光用レンズ（図示せず）にて構成され、光記録媒体である光ディスク８（後述する）の近傍に設置され、レーザー駆動装置１４からの駆動信号に従って、光ディスク８に対し記録の用途のために光ビームを照射する。また、発光装置１５は、光ディスク８に記録された情報の再生の用途のために、記録の用途の場合（１０〜３０ｍＷ）より低出力（数ｍＷ以下）の光ビームを光ディスク８に照射する。
【００３１】
受光装置１６は、主にフォトディテクタおよび光学レンズ（図示せず）にて構成され、前記したように、発光装置１５によって光ディスク８に対し照射された光ビームの反射光を受光し、電気的なアナログ信号に変換する。信号処理装置１７は、受光装置１６からのアナログ信号のデジタル化、復調化、復号化等を行う。
【００３２】
ディスク駆動装置１８は、コントローラ１２からのディスクの種類に関する信号を受けて光ディスク８のレーザ照射位置における線速度を設定し、信号処理装置１７から得られる実際の線速度をこの設定値に合わせるように、後述するスピンドルモータ１８５の回転数を制御している。また、ディスク駆動装置１８には信号処理装置１７から得られる信号を基に、光ディスク８上のレーザ照射位置が、光ディスク８のトラックを追従して変化するように、後述するフィード機構２８が接続されている。
【００３３】
次に図２乃至図５に基づいて、本発明の実施形態について詳述する。図２は、本発明の実施の形態による光記録・再生装置１１の回路を表すブロック図である。図２において、記録パタン・ストラテジ設定部１３１は、図１に示した発信装置１３を構成するもので、コントローラ１２からの記録データに基づいて、光ディスク８への光ビームによる記録パタンおよび光パルス列を構成する各々のパルスのパワーレベル、パルス幅およびパルス間隔を設定し、記録信号発生部１３３へと送信する。
【００３４】
記録信号発生部１３３は、記録パタン・ストラテジ設定部１３１とともに発信装置１３を構成するもので、記録パタン・ストラテジ設定部１３１によって設定された記録パタンおよび光パルス列を構成する各々のパルスのパワーレベル、パルス幅およびパルス間隔を示す記録信号（図３（ａ）に示す）を発信する。レーザーパワー設定部１４１は、図１に示したレーザー駆動装置１４を構成するもので、コントローラ１２からの記録データに基づいて、光ディスク８への光ビームの強さ、換言すれば、レーザーダイオードへの入力電流を設定する。
【００３５】
レーザー駆動部１４３は、記録信号発生部１３３およびレーザーパワー設定部１４１からの信号に基づいて、記録データに対応した所定の電流を発生させ、発光部１５１に印加する。発光部１５１にあるレーザーダイオードは、レーザー駆動部１４３から印加された電流によって発光し、光ディスク８に対し光ビームを照射する。図３（ｂ）に示すように、光ビームの照射によって、光ディスク８には記録信号に対応した記録マークが設けられる。
【００３６】
回転制御設定部１８１は、コントローラ１２からのディスクの種類に関する信号に基づいて、光ディスク８のレーザ照射位置における線速度を設定する。スピンドルサーボ１８３は、記録においてはエラー信号演算部２１からのプッシュプル信号をバンドパスフィルタ２２を通して得られたウォブル信号、再生においてはＣＬＫ抽出部１７５からの再生信号から発生するクロック信号により得られる線速度を回転制御設定部１８１からの線速度設定値になるように、スピンドルモータ１８５の回転数（速度）を制御する。
【００３７】
スピンドルモータ１８５には、光ディスク８をスピンドルモータ１８５と共に半径方向に移動させるフィード機構２８が取り付けられている。フィード機構２８は、スレッドサーボ２７から送信されるトラッキングサーボ信号中の直流成分を示す信号に基づいて駆動され、レーザスポットを光ディスク８のトラックに追従するように、半径方向に移動させる。
【００３８】
記録データの再生時において、受光部１６１が光ディスク８からの反射光を受光すると、受光部１６１から発せられたアナログ信号であるＨＦ信号は、図１に示した信号処理装置１７を構成するＨＦ増幅部１７１によって増幅される。その後、増幅されたＨＦ信号は、再生信号生成部１７２により再生信号（ＳＵＭ信号）になり、イコライズ回路で構成された波形等化部１７３において信号の振幅が補正され、Ａ／Ｄ変換部１７４へと送信される。
【００３９】
Ａ／Ｄ変換部１７４では、図３（ｃ）に示す所定の閾値に基づいて、図３（ｄ）に示すデジタル信号に変換（２値化）される。Ａ／Ｄ変換部１７４の閾値は、コントローラ１２から制御信号を入力された２値化条件設定部１７９によって、設定される。２値化条件設定部１７９は、さらに、波形等化部１７３のイコライズ特性も設定する。復号部１７７は、再生信号をさらに復号化するとともに、再生信号のエラーレートを算出し、後述するように、光ディスク８への記録時あるいは光ディスク８の記録データの再生時において、各パラメータの最適条件をさがすために使用される。
【００４０】
ジッタ計測部１７８はジッタを計測し、後述するように、光ディスク８への記録時あるいは光ディスク８の記録データの再生時において、各パラメータの最適条件をさがすために使用される。
【００４１】
波形特性評価部１７６は、波形等化部１７３からの再生信号の対称性、記録マーク長ごとの振幅比等の特性を評価し、後述するように、光ディスク８への記録時あるいは光ディスク８の記録データの再生時において、各パラメータの最適条件をさがすために使用される。
【００４２】
また、エラー信号演算部２１は、ＨＦ信号を演算して、レーザスポットのフォーカス位置、トラッキング位置からのずれ量に相当するフォーカスエラー信号、トラッキングエラー信号を発生させて、後述するフォーカスサーボ２４、トラッキングサーボ２６に送信する。
【００４３】
次に、発光部１５１のサーボに関する説明をする。発光部１５１には、アクチュエータ１５３が取り付けられ、レーザーダイオードが光ディスク８に対し、光ビームを照射する際の光スポットのフォーカス位置、トラッキング位置を制御する。
【００４４】
ここで、図４にアクチュエータ１５３の一例である２軸デバイスを示す。これは、ベース１５３ａ上の中心に、回転シャフト１５３ｂがベース１５３ａに対して回転可能に備えられるとともに、対物レンズ１５３ｃが回転シャフト１５３ｂに対して偏心して取り付けられている。トラッキングコイル１５３ｄに対し、所定の電流が印加されることによって、対物レンズが回転シャフト１５３ｂの回りを円弧状に移動することによってトラッキングが行われ、光ビームを光ディスク８の適正なトラックに追従させる（トラッキングサーボ機能）。また、フォーカスコイル１５３ｅに所定の電流が印加されることによって、対物レンズ１５３ｃが回転シャフト１５３ｂに沿って、図において上下動することでフォーカスをとり、光ビームの焦点を光ディスク８に合致させる（フォーカスサーボ機能）。
【００４５】
図２に戻って、フォーカスゲイン・オフセット設定部２３は、前記したアクチュエータ１５３に対するフォーカスサーボ機能において、ジッタ計測部１７８によって計測されたジッタ等に基づいて、フォーカスサーボゲイン量およびフォーカスサーボオフセット電圧を設定する。フォーカスサーボ２４は、フォーカスゲイン・オフセット設定部２３によって設定された、フォーカスサーボゲイン量およびフォーカスサーボオフセット電圧にしたがって、アクチュエータ１５３を制御する。
【００４６】
トラッキングゲイン・オフセット設定部２５は、前記したアクチュエータ１５３に対するトラッキングサーボ機能において、ジッタ計測部１７８によって計測されたジッタ等に基づいて、トラッキングサーボゲイン量およびトラッキングサーボオフセット電圧を設定する。トラッキングサーボ２６は、トラッキングゲイン・オフセット設定部２５によって設定された、トラッキングサーボゲイン量およびトラッキングサーボオフセット電圧にしたがって、アクチュエータ１５３を制御する。トラッキングサーボゲイン量あるいはフォーカスサーボゲイン量は、光ディスク８への記録あるいは光ディスク８の記録データの再生において、パラメータとして変化される。
【００４７】
チルト設定部２９は、ジッタ計測部１７８によって計測されたジッタ等に基づいて、発光部１５１、受光部１６１（両者をあわせてピックアップＰＵと呼ぶ）の光ディスク８に対する円周方向照射角度：α（図５（ａ）に示す）および半径方向照射角度：β（図５（ｂ）に示す）を設定する。チルトコントローラ３０は、チルト設定部２９が設定したαおよびβに従い、ピックアップＰＵの光ディスク８に対する円周方向照射角度および半径方向照射角度を制御する。
【００４８】
次に、光記録媒体への記録状態あるいは再生状態を制御するために複数のパラメータを使用する場合に、短時間で最適条件を検出するための、本発明による実施の形態について説明する。
【００４９】
図６は、本発明において、最適条件を検出するために光ディスク８へ試し記録をする場合の、光ディスク８における試し記録部位を示す。図６（ａ）はその１つの例である。光ディスク８は内周部に光記録装置のターンテーブルに装着する際に使用されるクランピングエリア８１およびクランプ孔８２を備えている。クランピングエリア８１の外周部には、コントロールデータが記録されたリードイン８３が設けられている。リードイン８３と最外周部にあるリードアウト８４との間に、記録領域ＲＰが設けられている。図６（ａ）の実施の形態においては、記録領域ＲＰの最内周（リードインの外周部）に、試し記録領域ＴＰが設けられている。
【００５０】
一方、図６（ｂ）は、別の実施の形態を示し、図６（ａ）と異なる点は、記録領域ＲＰを複数の記録ブロックＲＰ１，ＲＰ２…に分割し、各々の記録ブロックＲＰ１，ＲＰ２毎に、試し記録領域ＴＰ１，ＴＰ２を設けたことにある。本実施の形態によれば、図６（ａ）のものに比べ、光ディスク８の記録領域ＲＰの各部位に応じて、試し記録による最適条件の検出ができる。
【００５１】
図７乃至図９は、本発明による光記録媒体（光ディスク８）への試し記録による、記録時あるいは再生時のパラメータの最適値の検出・決定方法を表すフローチャートである。図７のフローチャートの開始前に、以下の条件（１）〜（４）を手動で設定してもよい。
【００５２】
（１）記録媒体に記録するデータのパタンとして、「ランダムなデータパタン」あるいは「単一パタンのマーク長およびスペース長の繰り返しパタン」いずれかの選択
【００５３】
（２）「記録を行うトラック数」の設定
【００５４】
（３）再生信号のジッタ、波形特性、エラーレートの中より、最適条件の検出において再生信号の評価尺度として使用するもの
【００５５】
（４）複数回記録・消去が可能な記録媒体に対する、「消去制御の回数あるいは重ね書き回数」の設定
【００５６】
尚、上記条件は、必ずしも手動で設定しなければならない理由はなく、図７乃至図９のフローチャートに含め、自動的に設定されるようにしてもよい。
【００５７】
図７（記録時及び再生時のパラメータの最適値の検出・決定方法の前半を示す）および図８（記録時及び再生時のパラメータの最適値の検出・決定方法の後半を示す）において、システムを起動すると、ステップＳ７０１において、「最適条件の検出に使用するパラメータ」、「各パラメータの最大変化幅と変化間隔」、「パラメータ間の変化させる順序」、「各パラメータの初期値」の各々について、ファイル内にデータがあるか否か判定する。ファイル内にデータがあれば、ステップＳ７０２において、ファイルから前記各データをロードする。ファイル内にデータが無い場合は、ステップＳ７０３において、データを新たに入力する。
【００５８】
「最適条件の検出に使用するパラメータ」、「各パラメータの最大変化幅と変化間隔」については、これに限定する意図はないが、記録時には前記したトラッキングサーボゲイン量あるいはフォーカスサーボゲイン量を±５ｄＢの幅で変化させる、あるいは発光部１５１の光ディスク８に対する円周方向照射角度または半径方向照射角度を±１°の範囲で変化させる等が考えられ、また、再生時には前記したトラッキングサーボゲイン量あるいはフォーカスサーボゲイン量を±５ｄＢの幅で変化させる、発光部１５１の光ディスク８に対する円周方向照射角度または半径方向照射角度を±１°の範囲で変化させる、再生信号をＡ／Ｄ変換部１７４でデジタル信号に変換（２値化）する際の閾値を変化させる、あるいは波形等化部１７３によるイコライズ特性を変化させる等が考えられる。
【００５９】
次にステップＳ７０４において、ステップＳ７０５での再生信号の評価のために、各パラメータが初期化される。ステップＳ７０５においては、光記録媒体の未記録状態での再生信号評価を行い、光記録媒体に予め入っている情報が規格に適合したものであるか確認する。
【００６０】
その後、ステップＳ７０６において、最適記録条件検出のために各パラメータを初期化する。ステップＳ７０７においては、変化されるパラメータが１つだけ選ばれ、そのパラメータの値が設定される。ステップＳ７０８において、定められた時間だけ設定されたパラメータ値で発光部１５１を用いて光記録媒体（光ディスク８）に記録される。
【００６１】
ステップＳ７０９では、光記録媒体の記録されたデータについて、発光部１５１から照射された光ビームを受光部１６１によって受光し、その後信号が処理されることによって再生が行われ、復号部１７７によって算出された再生信号のエラーレート、ジッタ計測部１７８によって計測されたジッタあるいは波形特性評価部１７６によって計測された波形特性によって再生信号の評価が行われる。本ルーチンの２巡目以降において、再生信号がそれ以前に評価されたもののいずれよりもよいと評価された場合、そのときの変化パラメータの値が新たに記憶される。
【００６２】
次に、ステップＳ７１０において、設定されたパラメータが設定された最大変化幅まで変化されたか否かが判定される。設定された最大変化幅まで変化されていれば、ステップＳ７１１に進み、再生信号の評価により最適条件と判定されたときのパラメータ値が、コントローラ１２に保存される。パラメータが設定された最大変化幅まで変化されていない場合、ステップＳ７１２において、変化パラメータ値が更新された後、ステップＳ７０８へと戻る。
【００６３】
ステップＳ７１１で最適条件と判定されたパラメータ値がコントローラ１２に保存された後、ステップＳ７１３で全パラメータについて最適値が保存されたか否かの判定が行われ、全パラメータについて最適値が保存されていれば、ステップＳ７１４（図８）において、全パラメータについて最適値に固定され、最適値が保存されていないパラメータがあれば、ステップＳ７０６を介して全パラメータを初期化した後、ステップＳ７０７へと戻り、次の変化パラメータが設定される。
【００６４】
ステップＳ７１５では、全パラメータを最適値に固定したうえで、発光部１５１を用いて光記録媒体（光ディスク８）に記録し、記録フローが終了する。
【００６５】
以下、ステップＳ７１６〜Ｓ７２３（図８）は再生フローである。ステップＳ７１６において、最適条件検出のために各パラメータを初期化する。次に、ステップＳ７１７においては、変化されるパラメータが１つだけ選ばれ、そのパラメータの値が設定される。ステップＳ７１８において、光記録媒体の記録されたデータについて、設定されたパラメータ値で発光部１５１から照射された光ビームを受光部１６１によって受光し、その後信号を処理することによって再生が行われ、復号部１７７によって算出された再生信号のエラーレート、ジッタ計測部１７８によって計測されたジッタあるいは波形特性評価部１７６によって計測された波形特性によって再生信号の評価が行われる。本ルーチンの２巡目以降において、再生信号がそれ以前に評価されたもののいずれよりもよいと評価された場合、そのときの変化パラメータの値が新たに記憶される。
【００６６】
次に、ステップＳ７１９において、設定されたパラメータが設定された最大変化幅まで変化されたか否かが判定される。設定された最大変化幅まで変化されていれば、ステップＳ７２０に進み、再生信号の評価により最適条件と判定されたパラメータ値がコントローラ１２に保存される。パラメータが設定された最大変化幅まで変化されていない場合、ステップＳ７２１において、変化パラメータ値が更新された後、ステップＳ７１８へと戻る。
【００６７】
ステップＳ７２０で最適条件と判定されたパラメータ値がコントローラ１２に保存された後、ステップＳ７２２で全パラメータについて最適値が保存されたか否かの判定が行われ、全パラメータについて最適値が保存されていれば、ステップＳ７２３において、全パラメータについて最適値に固定され、最適値が保存されていないパラメータがあれば、ステップＳ７１６を介して全パラメータを初期化した後、ステップＳ７１７へと戻り、次の変化パラメータが設定される。
【００６８】
なお、前記した各パラメータおよび記録パタン・ストラテジ設定部１３１、レーザーパワー設定部１４１で設定される制御値等、その他の設定値については、本フローのように自動設定する代わりに、作業者が再生信号の評価結果を確認しながら手動で設定するようにしてもよい。
【００６９】
また、上記した本発明は、光記録媒体への記録時および再生時のうちのいずれか一方のみにも適用可能である。
【００７０】
図９は、本発明を、光記録媒体に記録されたデータを再生する場合のみに適用したときの実施の形態を示す。図９において、ステップＳ９０１において、「最適条件の検出に使用するパラメータ」、「各パラメータの最大変化幅と変化間隔」、「パラメータ間の変化させる順序」、「各パラメータの初期値」の各々について、ファイル内にデータがあるか否か判定する。ファイル内にデータがあれば、ステップＳ９０２において、ファイルから前記各データをロードする。ファイル内にデータが無い場合は、ステップＳ９０３において、データを新たに入力する。
【００７１】
次にステップＳ９０４において、ステップＳ９０５での再生信号の評価のために、各パラメータが初期化される。ステップＳ９０５においては、光記録媒体の未記録状態での再生信号評価を行い、光記録媒体に予め入っている情報が規格に適合したものであるか確認する。以下、ステップＳ９０６〜Ｓ９１３については、各々図８に示したステップＳ７１６〜Ｓ７２３と同様であるため説明は省略する。
【００７２】
ここで、図９のステップＳ９０７において、「最適条件の検出に使用するパラメータ」については、これに限定する意図はないが、前記したトラッキングサーボゲイン量あるいはフォーカスサーボゲイン量、発光部１５１の光ディスク８に対する円周方向照射角度または半径方向照射角度、再生信号をＡ／Ｄ変換部１７４でデジタル信号に変換（２値化）する際の閾値、あるいは波形等化部１７３によるイコライズ特性等が考えられる。
【００７３】
上記した図７乃至図９のフローチャートにおいては、記録フローおよび再生フローとも、１つのパラメータの最適値が設定された後、別のパラメータについて最適値の検出を行う場合、変化パラメータ以外のパラメータについては、すべて所定値（初期値）にしているが、この場合、変化パラメータ以外のパラメータで、すでに最適値が検出されたものは最適値に固定し、変化パラメータの最適値の検出を行ってもよい。
【００７４】
これによる実施の形態を図１０乃至図１２にそれぞれ示した。図１０および図１１について図７と異なる個所のみに関して説明する。図１０のステップＳ１０１０において、設定されたパラメータが設定された最大変化幅まで変化されたと判定されれば、ステップＳ１０１１に進み、再生信号の評価により最適条件と判定されたときのパラメータ値に固定される。パラメータが設定された最大変化幅まで変化されていない場合、ステップＳ１０１２において、変化パラメータ値が更新された後、ステップＳ１００８へと戻る。
【００７５】
ステップＳ１０１１で最適条件と判定されたパラメータ値が固定された後、ステップＳ１０１３で全パラメータについて最適値が固定されたか否かの判定が行われ、全パラメータについて最適値が固定されていれば、ステップＳ１０１５（図１１）において、全パラメータを最適値に固定したうえで、発光部１５１を用いて光記録媒体（光ディスク８）に記録し、記録フローが終了する。ステップＳ１０１３で最適値が固定されていないパラメータがあると判定された場合、最適値が検出されたパラメータは最適値に固定されたまま、ステップＳ１００７へと戻り、次に変化されるパラメータが選ばれ、その値が設定される。
【００７６】
以下、ステップＳ１０１６〜Ｓ１０２２（図１１）は再生フローである。再生フローも同様に、ステップＳ１０１９において、設定されたパラメータが設定された最大変化幅まで変化されたか否かが判定される。設定された最大変化幅まで変化されていれば、ステップＳ１０２０に進み、再生信号の評価により最適条件と判定されたパラメータ値に固定される。パラメータが設定された最大変化幅まで変化されていない場合、ステップＳ１０２１において、変化パラメータ値が更新された後、ステップＳ１０１８へと戻る。
【００７７】
ステップＳ１０２０で最適条件と判定されたパラメータ値が固定された後、ステップＳ１０２２で全パラメータについて最適値が固定されたか否かの判定が行われ、全パラメータについて最適値が固定されていれば、再生フローを終了し、最適値が固定されていないパラメータがあれば、ステップＳ１０１７へと戻り、最適値が検出されたパラメータは最適値に固定されたまま、次の変化パラメータが選ばれ、その値が設定される。尚、図１２に示した、変形例による光記録媒体の再生時のパラメータの最適値検出の方法を表すフローチャートについては、説明は省略する。
【図面の簡単な説明】
【図１】  光記録装置および光再生装置のシステム図である。
【図２】  光記録装置および光再生装置の回路を表すブロック図である。
【図３】  記録信号を表すタイムチャート（ａ）、記録マークを表すタイムチャート（ｂ）、再生信号を表すタイムチャート（ｃ）および二値化再生信号を表すタイムチャート（ｄ）である。
【図４】  ピックアップのアクチュエータを表す図である。
【図５】  ピックアップの円周方向照射角度を表す図（ａ）と、半径方向照射角度を表す図（ｂ）である。
【図６】  光ディスクの構成を表す図（ａ）および（ｂ）である。
【図７】  光記録媒体への記録時および光記録媒体の再生時のパラメータの最適値検出の方法を表す前半のフローチャートである。
【図８】  光記録媒体への記録時および光記録媒体の再生時のパラメータの最適値検出の方法を表す後半のフローチャートである。
【図９】  光記録媒体の再生時のパラメータの最適値検出の方法を表すフローチャートである。
【図１０】  変形例による光記録媒体への記録時および光記録媒体の再生時のパラメータの最適値検出の方法を表す前半のフローチャートである。
【図１１】  変形例による光記録媒体への記録時および光記録媒体の再生時のパラメータの最適値検出の方法を表す後半のフローチャートである。
【図１２】  変形例による光記録媒体の再生時のパラメータの最適値検出の方法を表すフローチャートである。
【符号の説明】
８…光ディスク、１２…コントローラ、１３…発信装置、１５…発光装置、１６…受光装置、１７…信号処理装置
【図１】
0003838925.tif 000002
【図２】
0003838925.tif 000003
【図３】
0003838925.tif 000004
【図４】
0003838925.tif 000005
【図５】
0003838925.tif 000006
【図６】
0003838925.tif 000007
【図７】
0003838925.tif 000008
【図８】
0003838925.tif 000009
【図９】
0003838925.tif 000010
【図１０】
0003838925.tif 000011
【図１１】
0003838925.tif 000012
【図１２】
0003838925.tif 000013